(57)【要約】【課題】二度手間をかけることなく、前後胴周り域に一度に表示要素を形成することができる表示要素形成方法を提供する。【解決手段】第１外層ウェブ３０の内外面に多数の吸液性コアＣと表示要素１４を有する多数のインジケーションシート１３とを一定間隔で供給する部材供給手段Ｓ１；長手方向前方に位置するシートＡ１３の後部１３ｂとコアＣの前端部Ｃ１とを重ね合わせ、長手方向後方に位置するシートＢ１３の前部１３ａとコアＣの後端部Ｃ３とを重ね合わせる部材配置手段Ｓ２；外層ウェブ３０にシート１３を接合し、外層ウェブ３０に第２外層ウェブと内層ウェブとを重ね合わせ、内外層ウェブ３０にコアＣを接合するとともに、それらウェブ３０どうしを接合する部材接合手段；コアＣの間でシート１３と内外層ウェブ３０とを幅方向へ切断し、長手方向に並ぶ多数のインナーパネルを成形するパネル成形手段；それらパネルを幅方向へ方向転換させた後、アウターウェブの内面にそれらパネルを一定間隔で配置し、外層ウェブの外面とアウターウェブの内面とを接合するパネル接合手段；を有する。【選択図】　　　図１
2004073428.tif 000002
【特許請求の範囲】
【請求項１】
アウターウェブとそれに取り付けられた液吸収性インナーパネルとから構成され、前胴周り域および後胴周り域とそれら胴周り域の間に位置する股下域とを備えた使い捨て着用物品の前記前後胴周り域に、前記物品の外側から目視可能な表示要素を形成する表示要素形成方法において、
長手方向へ移動する連続第１外層ウェブおよび連続内層ウェブのいずれか一方の内面に、前後端部と中間部とを有して長手方向へ延びる多数の吸液性コアを該長手方向に一定間隔で供給し、前記第１外層ウェブの外面に、前記表示要素を前部と後部とに有して長手方向へ延びる多数のインジケーションシートを該長手方向に一定間隔で供給する部材供給手段、
長手方向に隣り合うそれらインジケーションシートの間に前記コアの中間部を配置し、隣り合うそれらインジケーションシートのうちの長手方向前方に位置する前記インジケーションシートの後部と前記コアの前端部とを重ね合わせ、隣り合うそれらインジケーションシートのうちの長手方向後方に位置する前記インジケーションシートの前部と前記コアの後端部とを重ね合わせる部材配置手段、
前記第１外層ウェブに前記インジケーションシートを接合し、前記第１外層ウェブと前記内層ウェブとを重ね合わせ、それら内外層ウェブの少なくとも一方に前記コアを接合するとともに、それら内外層ウェブの互いに重なり合う内面どうしを接合する部材接合手段、
前記インジケーションシートの前部と後部とを分割するように、長手方向に隣り合う前記コアの間で前記インジケーションシートと前記内外層ウェブとを幅方向へ切断し、長手方向に並ぶ多数の前記インナーパネルを成形するパネル成形手段、
前記インナーパネル各々を幅方向へ略直角に方向転換させた後、長手方向へ移動する連続アウターウェブの内面にそれらインナーパネルを該長手方向に一定間隔で配置し、前記第１外層ウェブの外面と前記アウターウェブの内面とを接合するパネル接合手段、
を有することを特徴とする前記方法。
【請求項２】
前記アウターウェブには、それの幅方向中央部を切除することによって、長手方向へ一定間隔で並ぶ多数の開口部が形成され、
前記パネル接合手段が、前記インナーパネル各々を幅方向へ略直角に方向転換させた後、それらインナーパネルを前記アウターウェブの前記開口部の間に配置し、
前記方法が、前記アウターウェブを隣り合う前記インナーパネルの間で幅方向へ切断して長手方向に並ぶ多数の前記物品を成形する物品成形手段を有する請求項１記載の表示要素形成方法。
【請求項３】
前記パネル接合手段が、前記インナーパネル各々を幅方向へ略直角に方向転換させるとともに、前記アウターウェブの内面にそれらインナーパネルを長手方向に一定間隔で配置した後、前記インナーパネルの間に延びる前記アウターウェブの幅方向中央部を切除して該アウターウェブに長手方向へ一定間隔で並ぶ多数の開口部を形成し、
前記方法が、前記アウターウェブを隣り合う前記インナーパネルの間で幅方向へ切断して長手方向に並ぶ多数の前記物品を成形する物品成形手段を有する請求項１記載の表示要素形成方法。
【請求項４】
前記方法が、前記第１外層ウェブの外面に長手方向へ移動する連続第２外層ウェブの内面を重ね合わせ、前記第１および第２外層ウェブどうしを接合する第２外層ウェブ接合手段を有し、
前記パネル成形手段が、長手方向に隣り合う前記コアの間で前記インジケーションシートと前記第１および第２外層ウェブと前記内層ウェブとを幅方向へ切断し、
前記パネル接合手段が、前記第２外層ウェブの外面と前記アウターウェブの内面とを接合する請求項１ないし請求項３いずれかに記載の表示要素形成方法。
【請求項５】
前記方法が、前記コアの幅方向両側に位置して長手方向へ延びる第１伸縮性弾性部材を、前記第１外側ウェブと前記内側ウェブとのいずれか一方の内面に伸長状態で接合する脚周り弾性部材装着手段を有する請求項１ないし請求項４いずれかに記載の表示要素形成方法。
【請求項６】
前記方法が、前記コアの幅方向両側に位置して長手方向へ延びる第１伸縮性弾性部材を、前記第１外側ウェブの外面と前記第２外側ウェブの内面とのいずれか一方に伸長状態で接合する脚周り弾性部材装着手段を有する請求項５記載の表示要素形成方法。
【請求項７】
前記方法が、前記アウターウェブの幅方向両側部に位置して長手方向へ延びる第２伸縮性弾性部材を、前記アウターウェブに伸長状態で取り付ける胴周り弾性部材装着手段を有する請求項１ないし請求項６いずれかに記載の表示要素形成方法。
【請求項８】
前記第１および第２外層ウェブが、透湿性かつ疎水性繊維不織布、透湿性かつ不透液性プラスチックフィルムのうちのいずれか一方から形成され、前記内層ウェブが、親水性繊維不織布から形成されている請求項２ないし請求項７いずれかに記載の表示要素形成方法。
【請求項９】
前記アウターウェブが、透湿性かつ疎水性繊維不織布、透湿性かつ疎水性繊維不織布を重ね合わせた複合不織布、透湿性かつ疎水性繊維不織布と透湿性かつ不透液性プラスチックフィルムとを重ね合わせた複合シートのうちのいずれか一方から形成されている請求項１ないし請求項８いずれかに記載の表示要素形成方法。
【請求項１０】
前記インジケーションシートが、透湿性かつ疎水性繊維不織布、透湿性かつ不透液性プラスチックフィルムのうちのいずれか一方から形成されている請求項１ないし請求項９いずれかに記載の表示要素形成方法。
【請求項１１】
前記表示要素が、前記インジケーションシートの前部と後部とに印刷された長手方向へ並ぶ一対のイラストである請求項１ないし請求項１０いずれかに記載の表示要素形成方法。
【発明の詳細な説明】
【０００１】
【発明の属する技術分野】
本発明は、アウターウェブとそれに取り付けられた液吸収性インナーパネルとから構成された使い捨て着用物品の前後胴周り域に、物品の外側から目視可能な表示要素を形成する表示要素形成方法に関する。
【０００２】
【従来の技術】
特開２００１−５４５３６公報は、模様シートを有するパンツ型の使い捨ておむつおよびその製造方法を開示している。このおむつは、肌非当接側に位置する不透液性裏面シート（外層ウェブ）と、肌当接側に位置する透液性表面シート（内層ウェブ）と、それらシートの間に介在する吸液性コアとから構成されている。このおむつは、前胴周り域および後胴周り域と、それら胴周り域の間に位置する股下域とを備え、胴周り開口と一対の脚周り開口とを有する。前胴周り域には、おむつの外側から目視可能な模様を有する模様シートが取り付けれらている。模様シートは、裏面シートの内面に接合されている。
【０００３】
このおむつの製造方法は、裏面シートの内面の所定位置に裏面シートよりも小さい面積の模様シートを接合する模様シート接合手段、裏面シートの内面にコアを接合するコア接合手段、コアの上面に表面シートを重ね合わせ、コアと表面シートとを接合するとともに、裏面シートと表面シートとを接合するシート接合手段、を有する。模様シート接合手段は、多数の模様シートを裏面シートの内面に順次供給するとともに、模様シートがおむつの前胴周り域に位置するように、個々の模様シートを裏面シートの長手方向へ一定間隔で配置した後、ホットメルト型接着剤を介してそれら模様シートを裏面シートに接合する。
【０００４】
【発明が解決しようとする課題】
前記公報に開示の製造方法では、模様シートを前胴周り域と後胴周り域とに取り付ける場合、多数の模様シートを裏面シートの幅方向へ所定寸法離間並列させた状態で、模様シートを裏面シートの内面に別々に供給するとともに、それら模様シートを裏面シートに別々に接合する必要がある。それら模様シートを別々に供給かつ接合すると、模様シートの接合に二度手間がかかることはもちろんのこと、そのための装置や工程を必要とするので、おむつを廉価に製造することができない。
【０００５】
本発明の課題は、二度手間をかけることなく、前後胴周り域に一度に表示要素を形成することができる表示要素形成方法を提供することにある。
【０００６】
【課題を解決するための手段】
前記課題を解決するための本発明の前提は、アウターウェブとそれに取り付けられた液吸収性インナーパネルとから構成され、前胴周り域および後胴周り域とそれら胴周り域の間に位置する股下域とを備えた使い捨て着用物品の前記前後胴周り域に、前記物品の外側から目視可能な表示要素を形成する表示要素形成方法である。
【０００７】
前記前提における本発明の特徴は、長手方向へ移動する連続第１外層ウェブおよび連続内層ウェブのいずれか一方の内面に、前後端部と中間部とを有して長手方向へ延びる多数の吸液性コアを該長手方向に一定間隔で供給し、前記第１外層ウェブの外面に、前記表示要素を前部と後部とに有して長手方向へ延びる多数のインジケーションシートを該長手方向に一定間隔で供給する部材供給手段、
長手方向に隣り合うそれらインジケーションシートの間に前記コアの中間部を配置し、隣り合うそれらインジケーションシートのうちの長手方向前方に位置する前記インジケーションシートの後部と前記コアの前端部とを重ね合わせ、隣り合うそれらインジケーションシートのうちの長手方向後方に位置する前記インジケーションシートの前部と前記コアの後端部とを重ね合わせる部材配置手段、
前記第１外層ウェブに前記インジケーションシートを接合し、前記第１外層ウェブと前記内層ウェブとを重ね合わせ、それら内外層ウェブの少なくとも一方に前記コアを接合するとともに、それら内外層ウェブの互いに重なり合う内面どうしを接合する部材接合手段、
前記インジケーションシートの前部と後部とを分割するように、長手方向に隣り合う前記コアの間で前記インジケーションシートと前記内外層ウェブとを幅方向へ切断し、長手方向に並ぶ多数の前記インナーパネルを成形するパネル成形手段、
前記インナーパネル各々を幅方向へ略直角に方向転換させた後、長手方向へ移動する連続アウターウェブの内面にそれらインナーパネルを該長手方向に一定間隔で配置し、前記第１外層ウェブの外面と前記アウターウェブの内面とを接合するパネル接合手段、を有することにある。
【０００８】
本発明は、以下の実施態様を有する。
（１）前記アウターウェブには、それの幅方向中央部を切除することによって、長手方向へ一定間隔で並ぶ多数の開口部が形成され、前記パネル接合手段が、前記インナーパネル各々を幅方向へ略直角に方向転換させた後、それらインナーパネルを前記アウターウェブの前記開口部の間に配置し、前記方法が、前記アウターウェブを隣り合う前記インナーパネルの間で幅方向へ切断して長手方向に並ぶ多数の前記物品を成形する物品成形手段を有する。
（２）前記パネル接合手段が、前記インナーパネル各々を幅方向へ略直角に方向転換させるとともに、前記アウターウェブの内面にそれらインナーパネルを長手方向に一定間隔で配置した後、前記インナーパネルの間に延びる前記アウターウェブの幅方向中央部を切除して該アウターウェブに長手方向へ一定間隔で並ぶ多数の開口部を形成し、前記方法が、前記アウターウェブを隣り合う前記インナーパネルの間で幅方向へ切断して長手方向に並ぶ多数の前記物品を成形する物品成形手段を有する。
（３）前記方法が、前記第１外層ウェブの外面に長手方向へ移動する連続第２外層ウェブの内面を重ね合わせ、前記第１および第２外層ウェブどうしを接合する第２外層ウェブ接合手段を有し、前記パネル成形手段が、長手方向に隣り合う前記コアの間で前記インジケーションシートと前記第１および第２外層ウェブと前記内層ウェブとを幅方向へ切断し、前記パネル接合手段が、前記第２外層ウェブの外面と前記アウターウェブの内面とを接合する。
（４）前記方法が、前記コアの幅方向両側に位置して長手方向へ延びる第１伸縮性弾性部材を、前記第１外側ウェブと前記内側ウェブとのいずれか一方の内面に伸長状態で接合する脚周り弾性部材装着手段を有する。
（５）前記方法が、前記コアの幅方向両側に位置して長手方向へ延びる第１伸縮性弾性部材を、前記第１外側ウェブの外面と前記第２外側ウェブの内面とのいずれか一方に伸長状態で接合する脚周り弾性部材装着手段を有する。
（６）前記方法が、前記アウターウェブの幅方向両側部に位置して長手方向へ延びる第２伸縮性弾性部材を、前記アウターウェブに伸長状態で取り付ける胴周り弾性部材装着手段を有する。
（７）前記第１および第２外層ウェブが、透湿性かつ疎水性繊維不織布、透湿性かつ不透液性プラスチックフィルムのうちのいずれか一方から形成され、前記内層ウェブが、親水性繊維不織布から形成されている。
（８）前記アウターウェブが、透湿性かつ疎水性繊維不織布、透湿性かつ疎水性繊維不織布を重ね合わせた複合不織布、透湿性かつ疎水性繊維不織布と透湿性かつ不透液性プラスチックフィルムとを重ね合わせた複合シートのうちのいずれか一方から形成されている。
（９）前記インジケーションシートが、透湿性かつ疎水性繊維不織布、透湿性かつ不透液性プラスチックフィルムのうちのいずれか一方から形成されている。
（１０）前記表示要素が、前記インジケーションシートの前部と後部とに印刷された長手方向へ並ぶ一対のイラストである。
【０００９】
【発明の実施の形態】
添付の図面を参照し、本発明にかかる表示要素形成方法の詳細を説明すると、以下のとおりである。
【００１０】
図１，２は、後記する表示要素形成方法によって製造された着用物品１Ａの部分破断斜視図と、図１の物品１Ａの分解斜視図とである。図１，２では、胴周り方向を矢印Ｌ、縦方向を矢印Ｍで示し、脚周り方向を矢印Ｎ（図１のみ）で示す。なお、アウターシート２（アウターウェブ）を形成する繊維不織布Ｕ１、インナーパネル３を形成する繊維不織布Ｕ２，Ｕ３（第１外層ウェブ，内層ウェブ）およびプラスチックフィルムＦ２（第２外層ウェブ）、インジケーションシート１３の内面とは、吸液性コアＣに対向する面をいい、それらの外面とは、コアＣに非対向の面をいう。
【００１１】
物品１Ａは、パンツ型を呈し、使用後に廃棄される使い捨てのものである。物品１Ａは、実質的に不透液性のアウターシート２（アウターウェブ）と、アウターシート２の内側に取り付けられた液吸収性インナーパネル３とから構成されている。物品１Ａは、互いに対向する前胴周り域４および後胴周り域６と、それら胴周り域４，６の間に位置する股下域５とを有する。
【００１２】
物品１Ａは、前後胴周り域４，６を胴周り方向へ延びる胴周り端部７と、前後胴周り域４，６を縦方向へ延びる胴周り側部８と、股下域５を脚周り方向へ延びる脚周り側部９とを有する。脚周り側部９は、物品１Ａの胴周り方向内方へ向かって弧を画いている。物品１Ａは、その展開平面形状が実質的に砂時計型を呈する。物品１Ａでは、胴周り側部８が合掌状に重なり合い、胴周り側部８が縦方向へ間欠的に並ぶ多数の熱融着線１０を介して固着されている。物品１Ａは、胴周り開口１１とその下方に一対の脚周り開口１２とを有する。
【００１３】
前後胴周り域４，６の胴周り方向中央部には、物品１Ａの外側から目視可能な表示要素１４を有するインジケーションシート１３が取り付けられている。表示要素１４は、インジケーションシート１３に印刷された熊の顔のイラスト１５である。表示要素１４は、イラスト１５の他に、模様や文字、図形であってもよい。
【００１４】
前胴周り域４の胴周り方向中央部には、イラストを印刷したインジケーションシート１３が取り付けられ、後胴周り域６の胴周り方向中央部には、文字を印刷したインジケーションシート１３が取り付けられていてもよい。前胴周り域４の胴周り方向中央部には、熊の顔のイラストを印刷したインジケーションシート１３が取り付けられ、後胴周り域６の胴周り方向中央部には、馬の顔のイラストを印刷したインジケーションシート１３が取り付けられていてもよい。
【００１５】
アウターシート２は、透湿性かつ疎水性繊維不織布Ｕ１から形成されている。インジケーションシート１３は、透湿性かつ不透液性プラスチックフィルムＦ１から形成されている。インジケーションシート１３は、透湿性かつ疎水性繊維不織布から形成されていてもよい。
【００１６】
胴周り端部７には、胴周り方向へ延びる帯状の胴周り用弾性部材１６（第２伸縮性弾性部材）が収縮可能に取り付けられている。胴周り用弾性部材１６は、帯状の不織布の間に複数条の伸縮性弾性部材を伸長状態で取り付けたもので、アウターシート２の内面に固着されている。
【００１７】
パネル３は、略矩形を呈し、股下域５から前後胴周り域４，６へ向かって延びている。パネル３は、肌非当接側に位置する透湿性かつ疎水性繊維不織布Ｕ２（第１外層ウェブ）および透湿性かつ不透液性プラスチックフィルムＦ２（第２外層ウェブ）と、肌当接側に位置する透湿性かつ親水性繊維不織布Ｕ３（内層ウェブ）と、それら不織布Ｕ２，Ｕ３の間に介在する吸液性コアＣとから形成されている（図２参照）。パネル３は、胴周り方向へ延びる両端縁部１７と縦方向へ延びる両側縁部１８とを有する。パネル３の両端縁部１７と両側縁部１８とでは、コアＣの周縁から周方向外方へ延びる不織布Ｕ２，Ｕ３の内面どうしが互いに重なり合った状態で固着されている。
【００１８】
パネル３の両側縁部１８には、脚周り方向へ延びる複数条の脚周り用弾性部材１９（第１伸縮性弾性部材）が収縮可能に取り付けられている。脚周り用弾性部材１９は、不織布Ｕ２，Ｕ３の間に介在し、それら不織布Ｕ２，Ｕ３の内面に固着されている。脚周り用弾性部材１９は、不織布Ｕ２とフィルムＦ２との間に介在してそれらの内外面に固着されていてもよい。パネル３は、それを形成するフィルムＦ２の外面がホットメルト型接着剤（図示せず）を介してアウターシート２の内面に固着されている。
【００１９】
不織布Ｕ２とフィルムＦ２とは、面積がコアＣの下面のそれよりもわずかに大きく、コアＣの下面全域を覆っている。不織布Ｕ３は、面積がコアＣの上面のそれよりもわずかに大きく、コアＣの上面全域を覆っている。不織布Ｕ２は、その内面がホットメルト型接着剤（図示せず）を介してコアＣの下面に固着されている。不織布Ｕ２とフィルムＦ２とは、それらの内外面がホットメルト型接着剤（図示せず）を介して固着されている。不織布Ｕ３は、その内面がホットメルト型接着剤（図示せず）を介してコアＣの上面に固着されている。インジケーションシート１３は、不織布Ｕ２とフィルムＦ２との間に介在し、その内面がホットメルト型接着剤（図示せず）を介して不織布Ｕ２の外面に固着されている。フィルムＦ２とインジケーションシート１３とは、非固着の状態にある。
【００２０】
コアＣは、フラッフパルプと高吸収性ポリマー粒子との混合物、または、フラッフパルプと高吸収性ポリマー粒子と熱可塑性合成樹脂繊維との混合物であり、所定の厚みに圧縮されている。コアＣは、その型くずれやポリマー粒子の脱落を防ぐため、全体がティッシュペーパーや親水性繊維不織布等の透液性シートに被覆されていることが好ましい。
【００２１】
接着剤は、不織布Ｕ２の内外面全域と不織布Ｕ３の内面全域とフィルムＦ２の外面全域とに塗布されている。なお、接着剤は、フィルムＦ２の内面全域に塗布されていてもよい。この場合は、インジケーションシート１３の外面がフィルムＦ２の内面に固着される。
【００２２】
接着剤は、それら不織布Ｕ２，Ｕ３やフィルムＦ２にスパイラル状、ジグザグ状、ドット状、縞状のうちのいずれかの態様で塗布することが好ましい。接着剤をこのような態様で塗布した場合、不織布Ｕ２，Ｕ３やフィルムＦ２に接着剤が塗布された部分と接着剤が塗布されていない部分とが生じる。
【００２３】
図３，４は、表示要素形成方法の一例を示す概略斜視図と、図３から続く表示要素形成方法の概略斜視図とであり、図５は、図４から続く表示要素形成方法の概略斜視図である。それら図では、長手方向を矢印Ｘで示し、幅方向を矢印Ｙで示す。この方法では、以下の手段を経ることによって図１の物品１Ａが製造されるとともに、物品１Ａの前後胴周り域４，６に表示要素１４が形成される。
【００２４】
部材供給手段Ｓ１；部材供給手段Ｓ１では、連続第１外層ウェブ３０の外面に長手方向へ延びる多数のインジケーションシート１３が一定間隔で供給されるとともに、第１外層ウェブ３０の内面に長手方向へ延びる多数の吸液性コアＣが一定間隔で供給される。
【００２５】
第１外層ウェブ３０は、長手方向へ連続して延び、矢印Ｘ１で示す長手方向前方へ一定の速度で移動している。第１外層ウェブ３０は、透湿性かつ疎水性繊維不織布Ｕ２から形成されている。インジケーションシート１３は、透湿性かつ不透液性プラスチックフィルムＦ１から形成されている。
【００２６】
インジケーションシート１３は、長手方向へ長い矩形を呈し、前部１３ａと後部１３ｂとを有する。インジケーションシート１３は、その前後部１３ａ，１３ｂに一対の表示要素１４を有する。表示要素１４は、インジケーションシート１３の外面に印刷された熊の顔のイラスト１５である。それらイラスト１５は、長手方向へ互いに鏡像関係にある。コアＣは、その平面形状が矩形を呈し、長手方向に前端部Ｃ１および後端部Ｃ３と、それら端部Ｃ１，Ｃ３の間に位置する中間部Ｃ２とを有する。インジケーションシート１３とコアＣとは、幅方向の寸法が第１外層ウェブ３０のそれよりも小さい。
【００２７】
部材配置手段Ｓ２；部材配置手段Ｓ２では、長手方向へ隣り合うそれらインジケーションシート１３の間にコアＣの中間部Ｃ２を配置し、隣り合うそれらインジケーションシート１３のうちの長手方向前方に位置するインジケーションシートＡ１３の後部１３ｂとコアＣの前端部Ｃ１とを重ね合わせるとともに、隣り合うそれらインジケーションシート１３のうちの長手方向後方に位置するインジケーションシートＢ１３の前部１３ａとコアＣの後端部Ｃ３とを重ね合わせる。
【００２８】
それらインジケーションシート１３は、第１外層ウェブ３０の幅方向中央部３０ａに位置し、外層ウェブ３０の外面に長手方向へ一定間隔で並ぶ。それらコアＣは、第１外層ウェブ３０の幅方向中央部３０ａに位置し、外層ウェブ３０の内面に長手方向へ一定間隔で並ぶ。なお、コアＣの前端部Ｃ１には、インジケーションシート１３の後部１３ｂに印刷されたイラスト１５が位置し、コアＣの後端部Ｃ３には、インジケーションシート１３の前部１３ａに印刷されたイラスト１５が位置する。
【００２９】
部材接合手段Ｓ３；部材接合手段Ｓ３では、インジケーションシート１３がホットメルト型接着剤（図示せず）を介して第１外層ウェブ３０の外面に接合され、コアＣの下面がホットメルト型接着剤（図示せず）を介して第１外層ウェブ３０の内面に接合される。
【００３０】
部材接合手段Ｓ３では、複数条の連続第１伸縮性弾性部材１９（脚周り用弾性部材）がホットメルト型接着剤（図示せず）を介して外層ウェブ３０の内面に伸長状態で接合される（脚周り弾性部材装着手段Ｓ７）。弾性部材１９は、コアＣの両側に位置し、外層ウェブ３０の幅方向両側部３０ｂを長手方向へ略直状に延びている。
【００３１】
それら部材が接合された後は、第１外層ウェブ３０の内面に連続内層ウェブ３１の内面を重ね合わせ、第１外層ウェブ３０の外面に連続第２外層ウェブ３２の内面を重ね合わせる。第１外層ウェブ３０と内層ウェブ３１とは、それらウェブ３０，３１の内面どうしがホットメルト型接着剤（図示せず）を介して接合される。このとき、コアＣの上面と第１伸縮性弾性部材１９とは、内層ウェブ３１の内面に接合される。第１外層ウェブ３０と第２外層ウェブ３２とは、それらウェブ３０，３２の内外面どうしがホットメルト型接着剤（図示せず）を介して接合される（第２外層ウェブ接合手段Ｓ８）。インジケーションシート１３と第２外層ウェブ３２とは、非接合の状態にある。
【００３２】
内側ウェブ３１と第２外層ウェブ３２とは、長手方向へ連続して延び、第１外側ウェブ３０と同一の速度で矢印Ｘ１で示す長手方向前方へ移動している。内側ウェブ３１は、透湿性かつ親水性繊維不織布Ｕ３から形成されている。第２外層ウェブ３２は、透湿性かつ不透液性プラスチックフィルムＦ２から形成されている。接着剤は、第１外層ウェブ３０の内外面全域と内層ウェブ３１の内面全域とにスパイラル状、ジグザグ状、ドット状、縞状のうちのいずれかの態様で塗布されている。
【００３３】
部材接合手段Ｓ３では、第１伸縮性弾性部材１９を第１外層ウェブ３０の外面、内層ウェブ３１の内面、第２外層ウェブ３２の内面のいずれか一方に伸長状態で接合することもできる。部材接合手段Ｓ３では、第２外層ウェブ３２を省くこともできる。
【００３４】
弾性部材１９は、部材供給手段Ｓ１と部材配置手段Ｓ２とのいずれかにおいて、外層ウェブ３０の内面に伸長状態で接合することもできる。第２外層ウェブ３２は、部材供給手段Ｓ１と部材配置手段Ｓ２とのいずれかにおいて、外層ウェブ３０の外面に接合することもできる。
【００３５】
パネル成形手段Ｓ４；パネル成形手段Ｓ４では、第１および第２外層ウェブ３０，３２と内層ウェブ３１とインジケーションシート１３とが第１切断線Ｋ１で切断され、長手方向に並ぶ多数のインナーパネル３が作られる。第１切断線Ｋ１は、長手方向に隣り合うコアＣの間を幅方向へ延びている。パネル成型手段Ｓ４では、インジケーションシート１３が前部１３ａと後部１３ｂとに分割される。インナーパネル３は、幅方向へ延びる両端縁部１７と長手方向へ延びる両側縁部１８とを有する。
【００３６】
パネル接合手段Ｓ５；パネル接合手段Ｓ５では、長手方向に並ぶインナーパネル３各々を矢印Ｙ２で示す幅方向へ略直角に方向転換させた後、それらインナーパネル３を連続アウターウェブ３３（アウターシート）の内面に一定間隔で配置する。次に、インナーパネル３の間に延びるアウターウェブ３３の幅方向中央部３３ａが切除され、長手方向に一定間隔で並ぶ多数の開口部３４が形成される。それら開口部３４は、幅方向へ長い紡錘型を呈する。方向転換したインナーパネル３では、両端縁部１７が長手方向へ延び、両側縁部１８が幅方向へ延びる。
【００３７】
パネル接合手段Ｓ５では、第２外層ウェブ３２の外面とアウターウェブ３３の内面とがホットメルト型接着剤（図示せず）を介して接合される。接着剤は、第２外層ウェブ３２の外面全域にスパイラル状、ジグザグ状、ドット状、縞状のうちのいずれかの態様で塗布されている。
【００３８】
アウターウェブ３３は、長手方向へ連続して延び、矢印Ｘ１で示す長手方向前方へ一定の速度で移動している。アウターウェブ３３は、透湿性かつ疎水性繊維不織布Ｕ１から形成されている。それらインナーパネル３は、アウターウェブ３３の開口部３４の間に位置し、アウターウェブ３３の内面に長手方向へ一定間隔で並ぶ。
【００３９】
パネル接合手段Ｓ５では、帯状の第２伸縮性弾性部材１６（胴周り用弾性部材）がホットメルト型接着剤（図示せず）を介してアウターウェブ３３の内面に伸長状態で接合される（胴周り弾性部材装着手段Ｓ９）。弾性部材１６は、パネル３の両側に位置し、アウターウェブ３３の幅方向両側部３３ｂを長手方向へ略直状に延びている。弾性部材１６は、互いに重なり合う帯状の繊維不織布と、それら不織布の間に介在して不織布に伸長状態で取り付けられた複数条の伸縮性弾性部材とから形成されている。
【００４０】
アウターウェブ３３には、あらかじめ長手方向に一定間隔で並ぶ多数の開口部３４が形成されていてもよい。この場合、インナーパネル３は、アウターウェブ３３の内面であって、隣り合う開口部３４の間に配置される。開口部３４は、アウターウェブ３３の幅方向中央部３３ａを切除することによって形成することができる。
【００４１】
物品成形手段Ｓ６；物品成形手段Ｓ６では、アウターウェブ３３が第２切断線Ｋ２で切断され、長手方向に並ぶ多数の物品１Ａが作られる。第２切断線Ｋ２は、隣り合うインナーパネル３の間に位置して開口部３４を二分するように幅方向へ延びている。物品１Ａは、その平面形状が実質的に砂時計型を呈し、幅方向に前胴周り域４および後胴周り域６と、それら胴周り域４，６の間に位置する股下域５とを有する。
【００４２】
物品１Ａは、インナーパネル３を内側にした状態で、アウターウェブ３３の幅方向の寸法を二分する長手方向折曲線Ｄで折曲されるとともに、前後胴周り域４，６の互いに重なり合う胴周り側部８どうしが熱融着線１０を介して接合され、パンツ型に成型される。
【００４３】
図６，７は、後記する表示要素形成方法によって製造された他の実施の形態の着用物品１Ｂの部分破断斜視図と、図６の物品１Ｂの分解斜視図とである。図６，７では、胴周り方向を矢印Ｌ、縦方向を矢印Ｍで示し、脚周り方向を矢印Ｎ（図６のみ）で示す。なお、アウターシート２（アウターウェブ）を形成する繊維不織布Ｕ１およびプラスチックフィルムＦ３、インナーパネル３を形成する繊維不織布Ｕ２，Ｕ３（第１外層ウェブ，内層ウェブ）、インジケーションシート１３の内面とは、吸液性コアＣに対向する面をいい、それらの外面とは、コアＣに非対向の面をいう。
【００４４】
物品１Ｂは、図１のそれと同様にパンツ型を呈し、使用後に廃棄される使い捨てのものである。物品１Ｂは、実質的に不透液性のアウターシート２（アウターウェブ）と、アウターシート２の内側に取り付けられた液吸収性インナーパネル３とから構成されている。物品１Ｂは、前胴周り域４および後胴周り域６と、それら胴周り域４，６の間に位置する股下域５とを有し、胴周り端部７および胴周り側部８と、脚周り側部９とを有する。物品１Ｂでは、胴周り側部８が合掌状に重なり合い、胴周り側部８が縦方向へ間欠的に並ぶ多数の熱融着線１０を介して固着されている。物品１Ｂは、胴周り開口１１と一対の脚周り開口１２とを有する。
【００４５】
前後胴周り域４，６の胴周り方向中央部には、物品１Ｂの外側から目視可能な表示要素１４を有するインジケーションシート１３が取り付けられている。表示要素１４は、インジケーションシート１３に印刷された熊の顔のイラスト１５である。
【００４６】
アウターシート２は、互いに重なり合う透湿性かつ疎水性繊維不織布Ｕ１と透湿性かつ不透液性プラスチックフィルムＦ３とから形成されている。不織布Ｕ１とフィルムＦ３とは、それらの対向面がホットメルト接着剤（図示せず）を介して固着されている。インジケーションシート１３は、透湿性かつ不透液性プラスチックフィルムＦ１から形成されている。
【００４７】
胴周り端部７には、胴周り方向へ延びる複数条の胴周り用弾性部材１６（第２伸縮性弾性部材）が収縮可能に取り付けられている。脚周り側部９には、脚周り用弾性部材１９が収縮可能に取り付けられている。それら弾性部材１６，１９は、アウターシート２を形成する不織布Ｕ１とフィルムＦ３との間に介在し、それらの対向面に固着されている。
【００４８】
パネル３は、股下域５から前後胴周り域４，６へ向かって延びている。パネル３は、肌非当接側に位置する透湿性かつ疎水性繊維不織布Ｕ２（第１外層ウェブ）と、肌当接側に位置する透湿性かつ親水性繊維不織布Ｕ３（内層ウェブ）と、それら不織布Ｕ２，Ｕ３の間に介在する吸液性コアＣとから形成されている（図７参照）。
【００４９】
パネル３は、胴周り方向へ延びる両端縁部１７と縦方向へ延びる両側縁部１８とを有する。パネル３の両端縁部１７と両側縁部１８とでは、コアＣの周縁から周方向外方へ延びる不織布Ｕ２，Ｕ３の内面どうしが互いに重なり合った状態で固着されている。パネル３は、それを形成する不織布Ｕ２の外面がホットメルト型接着剤（図示せず）を介してアウターシートを形成するフィルムＦ３の内面に固着されている。
【００５０】
それら不織布Ｕ２，Ｕ３は、面積がコアＣの上下面のそれよりもわずかに大きく、コアＣの上下面全域を覆っている。不織布Ｕ２，Ｕ３は、それらの内面がホットメルト型接着剤（図示せず）を介してコアＣの上下面に固着されている。インジケーションシート１３は、その内面がホットメルト型接着剤（図示せず）を介して不織布Ｕ２の外面に固着されている。
【００５１】
接着剤は、不織布Ｕ２の内外面全域と不織布Ｕ３の内面全域とフィルムＦ３の外面全域とに塗布されている。接着剤は、それら不織布Ｕ２，Ｕ３やフィルムＦ３にスパイラル状、ジグザグ状、ドット状、縞状のうちのいずれかの態様で塗布することが好ましい。
【００５２】
図８，９は、表示要素形成方法の他の一例を示す概略斜視図と、図８から続く表示要素形成方法の概略斜視図とであり、図１０は、図９から続く表示要素形成方法の概略斜視図である。それら図では、長手方向を矢印Ｘで示し、幅方向を矢印Ｙで示す。この方法では、以下の手段を経ることによって図６の物品１Ｂが製造されるとともに、物品１Ｂの前後胴周り域４，６に表示要素１３が形成される。
【００５３】
部材供給手段Ｓ１；部材供給手段Ｓ１では、連続第１外層ウェブ３０の外面に長手方向へ延びる多数のインジケーションシート１３が一定間隔で供給されるとともに、外層ウェブ３０の内面に長手方向へ延びる多数の吸液性コアＣが一定間隔で供給される。
【００５４】
外層ウェブ３０は、透湿性かつ疎水性繊維不織布Ｕ２から形成されている。インジケーションシート１３は、透湿性かつ不透液性プラスチックフィルムＦ１から形成されている。インジケーションシート１３は、前部１３ａと後部１３ｂとを有し、その前後部１３ａ，１３ｂに一対の表示要素１４を有する。表示要素１４は、インジケーションシート１３の外面に印刷された熊の顔のイラスト１５である。それらイラスト１５は、長手方向へ互いに鏡像関係にある。コアＣは、長手方向に前端部Ｃ１および後端部Ｃ３と、それら端部Ｃ１，Ｃ３の間に位置する中間部Ｃ２とを有する。
【００５５】
部材配置手段Ｓ２；部材配置手段Ｓ２では、長手方向へ隣り合うそれらインジケーションシート１３の間にコアＣの中間部Ｃ２を配置し、隣り合うそれらインジケーションシート１３のうちの長手方向前方に位置するインジケーションシートＡ１３の後部１３ｂとコアＣの前端部Ｃ１とを重ね合わせるとともに、隣り合うそれらインジケーションシート１３のうちの長手方向後方に位置するインジケーションシートＢ１３の前部１３ａとコアＣの後端部Ｃ３とを重ね合わせる。
【００５６】
それらインジケーションシート１３は、外層ウェブ３０の幅方向中央部３０ａに位置し、外層ウェブ３０の外面に長手方向へ一定間隔で並ぶ。それらコアＣは、外層ウェブ３０の幅方向中央部３０ａに位置し、外層ウェブ３０の内面に長手方向へ一定間隔で並ぶ。なお、コアＣの前端部Ｃ１には、インジケーションシート１３の後部１３ｂに印刷されたイラスト１５が位置し、コアＣの後端部Ｃ３には、インジケーションシート１３の前部１３ａに印刷されたイラスト１５が位置する。
【００５７】
部材接合手段Ｓ３；部材接合手段Ｓ３では、インジケーションシート１３がホットメルト型接着剤（図示せず）を介して外層ウェブ３０の外面に接合され、コアＣの下面がホットメルト型接着剤（図示せず）を介して外層ウェブ３０の内面に接合される。それら部材が接合された後は、外層ウェブ３０の内面に連続内層ウェブ３１の内面を重ね合わせ、それらウェブ３０，３１の内面どうしがホットメルト型接着剤（図示せず）を介して接合される。このとき、コアＣの上面は、内層ウェブ３１の内面に接合される。
【００５８】
内側ウェブ３１は、透湿性かつ親水性繊維不織布Ｕ３から形成されている。接着剤は、外層ウェブ３０の内外面全域と内層ウェブ３１の内面全域とにスパイラル状、ジグザグ状、ドット状、縞状のうちのいずれかの態様で塗布されている。
【００５９】
パネル成形手段Ｓ４；パネル成形手段Ｓ４では、外層ウェブ３０と内層ウェブ３１とインジケーションシート１３とが第１切断線Ｋ１で切断され、長手方向に並ぶ多数のインナーパネル３が作られる。第１切断線Ｋ１は、長手方向に隣り合うコアＣの間を幅方向へ延びている。パネル成形手段Ｓ４では、インジケーションシート１３が前部１３ａと後部１３ｂとに分割される。インナーパネル３は、幅方向へ延びる両端縁部１７と長手方向へ延びる両側縁部１８とを有する。
【００６０】
パネル接合手段Ｓ５；パネル接合手段Ｓ５では、長手方向に並ぶインナーパネル３各々を矢印Ｙ２で示す幅方向へ略直角に方向転換させた後、それらインナーパネル３を連続アウターウェブ３３の内面に一定間隔で配置する。パネル接合手段Ｓ５では、外層ウェブ３０の外面とアウターウェブ３３の内面とがホットメルト型接着剤（図示せず）を介して接合される。
【００６１】
アウターウェブ３３は、互いに重なり合う透湿性かつ疎水性繊維不織布Ｕ１と透湿性かつ不透液性プラスチックフィルムＦ３とから形成されている。アウターウェブ３３は、長手方向に一定間隔で並ぶ多数の開口部３４を有する。不織布Ｕ１とフィルムＦ３とは、それらの対向面がホットメルト型接着剤（図示せず）を介して接合されている。それら開口部３４は、幅方向へ長い紡錘型を呈し、アウターウェブ３３の幅方向中央部３３ａを切除することによって形成されている。
【００６２】
開口部３４には、その周縁に沿って複数条の伸縮性弾性部材１９（脚周り用弾性部材）が伸長状態で取り付けられている。弾性部材１９は、不織布Ｕ１とフィルムＦ３との間に介在し、それらの対向面に接合されている。インナーパネル３は、アウターウェブ３３の開口部３４の間に位置し、アウターウェブ３３の内面に長手方向へ一定間隔で並ぶ。
【００６３】
パネル接合手段Ｓ５では、複数条の第２伸縮性弾性部材１６（胴周り用弾性部材）がホットメルト型接着剤（図示せず）を介してアウターウェブ３３に伸長状態で接合される（胴周り弾性部材装着手段Ｓ９）。弾性部材１６は、パネル３の両側に位置し、アウターウェブ３３の幅方向両側部３３ｂを長手方向へ略直状に延びている。弾性部材１６は、不織布Ｕ１とフィルムＦ３との間に介在し、それらの対向面に接合されている。
【００６４】
物品成形手段Ｓ６；物品成形手段Ｓ６では、アウターウェブ３３が第２切断線Ｋ２で切断され、長手方向に並ぶ多数の物品１Ｂが作られる。第２切断線Ｋ２は、隣り合うインナーパネル３の間を幅方向へ延びている。物品１Ｂは、幅方向に前胴周り域４および後胴周り域６と、それら胴周り域４，６の間に位置する股下域５とを有する。
【００６５】
物品１Ｂは、インナーパネル３を内側にした状態で、アウターウェブ３３の幅方向の寸法を二分する長手方向折曲線Ｄで折曲されるとともに、前後胴周り域４，６の互いに重なり合う胴周り側部８どうしが熱融着線１０を介して接合され、パンツ型に成型される。
【００６６】
第１外層ウェブ３０は、透湿性かつ不透液性プラスチックフィルムから形成されていてもよい。第２外層ウェブ３２は、透湿性かつ疎水性繊維不織布から形成されていてもよい。アウターウェブ３３は、２枚の透湿性かつ疎水性繊維不織布を重ね合わせた複合不織布から形成されていてもよい。
【００６７】
繊維不織布Ｕ１，Ｕ２，Ｕ３には、スパンレース、ニードルパンチ、メルトブローン、サーマルボンド、スパンボンド、ケミカルボンド、エアースルー、の各製法により製造されたものを使用することができる。不織布Ｕ１，Ｕ２，Ｕ３の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。プラスチックフィルムＦ１，Ｆ２，Ｆ３には、ポリオレフィン系熱可塑性合成樹脂を使用することが好ましい。
【００６８】
この発明は、あらかじめ前後胴周り域４，６が連結されたパンツ型の使い捨て着用物品１Ａ，１Ｂの他に、着用時に前後胴周り域を連結するオープン型の使い捨て着用物品にも実施することができる。オープン型の使い捨て着用物品を作る場合は、物品成形手段において物品を折曲することなく、物品の前胴周り域におけるアウターウェブの外面にターゲットテープを接合するとともに、後胴周り域の胴周り側部にターゲットテープに止着可能なテープファスナを取り付ければよい。
【００６９】
【発明の効果】
本発明にかかる表示要素形成方法によれば、前部と後部とに表示要素を有するインジケーションシートを二分することで、長手手方向へ並ぶ多数の物品を製造する際に、物品の前後胴周り域に一度に表示要素を形成することができる。この方法では、インジケーションシートを物品の前後胴周り域に別々に取り付けるための装置や工程を必要としないので、物品を廉価に製造することができるとともに、物品の前後胴周り域に表示要素を連続かつ高速に形成することができる。
【００７０】
この方法では、インジケーションシートに印刷されたイラストが長手方向へ互いに鏡像関係にあるので、前後胴周り域に位置するイラストのうちの一方が他方に対して上下逆さまになってしまうことはない。
【図面の簡単な説明】
【図１】着用物品の部分破断斜視図。
【図２】図１の物品の分解斜視図。
【図３】表示要素形成方法の一例を示す概略斜視図。
【図４】図３から続く表示要素形成方法の概略斜視図。
【図５】図４から続く表示要素形成方法の概略斜視図。
【図６】他の実施の形態の着用物品の部分破断斜視図。
【図７】図６の物品の分解斜視図。
【図８】表示要素形成方法の他の一例を示す概略斜視図。
【図９】図８から続く表示要素形成方法の概略斜視図。
【図１０】図９から続く表示要素形成方法の概略斜視図。
【符号の説明】
１Ａ　　　　使い捨て着用物品
１Ｂ　　　　使い捨て着用物品
２　　　　　アウターシート（アウターウェブ）
３　　　　　液吸収性インナーパネル
４　　　　　前胴周り域
５　　　　　股下域
６　　　　　後胴周り域
１３　　　　　インジケーションシート
Ａ１３　　　　インジケーションシート
Ｂ１３　　　　インジケーションシート
１３ａ　　　　前部
１３ｂ　　　　後部
１４　　　　　表示要素
１５　　　　　イラスト
１６　　　　　第２伸縮性弾性部材
１９　　　　　第１伸縮性弾性部材
３０　　　　　連続第１外層ウェブ
３１　　　　　連続内層ウェブ
３２　　　　　連続第２外層ウェブ
３３　　　　　アウターウェブ
３３ａ　　　　幅方向中央部
３３ｂ　　　　幅方向両側部
３４　　　　　開口部
Ｃ　　　　　　吸液性コア
Ｃ１　　　　　前端部
Ｃ２　　　　　中間部
Ｃ３　　　　　後端部
Ｆ１　　　　　プラスチックフィルム
Ｆ２　　　　　プラスチックフィルム
Ｆ３　　　　　プラスチックフィルム
Ｓ１　　　　　部材供給手段
Ｓ２　　　　　部材配置手段
Ｓ３　　　　　部材接合手段
Ｓ４　　　　　パネル成形手段
Ｓ５　　　　　パネル接合手段
Ｓ６　　　　　物品成形手段
Ｓ７　　　　　脚周り弾性部材装着手段
Ｓ８　　　　　第２外層ウェブ接合手段
Ｓ９　　　　　胴周り弾性部材装着手段
Ｕ１　　　　　繊維不織布
Ｕ２　　　　　繊維不織布
Ｕ３　　　　　繊維不織布
【図１】
2004073428.tif 000003
【図２】
2004073428.tif 000004
【図３】
2004073428.tif 000005
【図４】
2004073428.tif 000006
【図５】
2004073428.tif 000007
【図６】
2004073428.tif 000008
【図７】
2004073428.tif 000009
【図８】
2004073428.tif 000010
【図９】
2004073428.tif 000011
【図１０】
2004073428.tif 000012